(57)【要約】【課題】  不用意な噴霧を防止することができるスプレー構造を提供する。【解決手段】  スプレー本体１１の膨出部１２に設けられたノズル１３は、側方へ傾倒操作された際にスプレー本体１１内の液状薬剤を上方へ向けて噴霧する。スプレー本体１１にノズル１３を包囲するキャップ１４を設け、キャップ１４の外周壁２２に操作穴３１を開設する。キャップ１４内に噴射ボタン４１を設け、噴射ボタン４１の噴射ノズル部４２をノズル１３に外嵌する。キャップ１４に操作穴３１を開閉する蓋部６１を設け、蓋部６１の左端部を、軸部６２によってキャップ１４に回動自在に支持する。【選択図】        図１
2006159007.tif 000002
【特許請求の範囲】
【請求項１】
スプレー本体より上方に延出したノズルが操作された際に、前記スプレー本体内の薬剤を上方へ向けて噴出するとともに、前記スプレー本体に、前記ノズルを包囲するキャップが設けられたスプレー構造において、
前記キャップに、側方へ開口し内部に連通する操作穴と、該操作穴を開閉自在に閉鎖する蓋部とを設けたことを特徴とするスプレー構造。
【請求項２】
操作時の操作力を前記ノズルを操作する力として伝達する伝達部を設けたことを特徴とする請求項１記載のスプレー構造。
【請求項３】
前記蓋部の縁部を前記キャップに回動自在に支持する一方、
前記蓋部が前記操作穴を閉鎖した閉鎖状態にて前記蓋部の自由端部を前記キャップに係合して当該閉鎖状態を維持する閉鎖状態維持構造と、前記閉鎖穴を開放した開放状態にて前記蓋部の閉鎖方向への回動を規制して当該開放状態を維持する開放状態維持構造とを設けたことを特徴とする請求項１又は２記載のスプレー構造。
【発明の詳細な説明】
【技術分野】
【０００１】
本発明は、芳香剤、消臭剤、殺虫剤等の薬剤を噴霧するスプレー構造に関する。
【背景技術】
【０００２】
従来、トイレや居住空間内で使用する芳香剤、消臭剤、殺虫剤としては、スプレータイプのものが知られている。
【０００３】
このスプレータイプの芳香剤等は、薬剤と共に圧縮ガスや液化ガス等の噴射剤がスプレー本体内に収容されており、該スプレー本体に設けられた噴出ノズルから噴霧されるように構成されている。
【０００４】
このようなスプレーとしては、スプレー本体上部に嵌着されたキャップの側面に、噴射ボタンが設けられたものが知られている（例えば、特許文献１〜４参照。）。
【０００５】
該噴射ボタンの裏面に設けられた突出部は、内側へ向けて延出しており、スプレー本体の中央部には、上方に延出したノズルが設けられている。該ノズルには、噴出ノズルが嵌着されており、前記ノズルから噴出された液状薬剤を上方へ噴出できるように構成されている。
【０００６】
これにより、前記噴射ボタンを側面側から押圧して前記ノズルを側方へ傾倒操作することによって、前記キャップ上面より上方へ向けて前記液状薬剤を噴霧できるように構成されている。
【０００７】
この様な側面に噴射ボタンを備えたスプレーは、手に持って操作することはもちろん、スプレーの背面を壁の壁面に固定した状態で容易に噴射ボタンを操作することができ、幅広い用途に利用されるものである。
【特許文献１】実開昭６２−１０９７６０号公報
【特許文献２】実開平０１−１７０４６９号公報
【特許文献３】実開平０３−０９０６５４号公報
【特許文献４】実開平０４−０１９４８０号公報
【発明の開示】
【発明が解決しようとする課題】
【０００８】
しかしながら、このようなスプレーにあっては、液状薬剤を噴霧させる為の噴射ボタンがキャップの側面に設けられている。このため、スプレー本体を把持する際や、壁面にスプレー本体を設置、取り外す際に、前記噴射ボタンを誤って操作してしまうことがあった。
【０００９】
これにより、意図せずに液状薬剤を噴霧させてしまい、薬剤を無駄に消費してしまうばかりか、衣類や周囲を汚してしまうことがあった。
【００１０】
本発明は、このような従来の課題に鑑みてなされたものであり、不用意な噴霧を防止することができるスプレー構造を提供することを目的とするものである。
【課題を解決するための手段】
【００１１】
前記課題を解決するために本発明の請求項１のスプレー構造にあっては、スプレー本体より上方に延出したノズルが操作された際に、前記スプレー本体内の薬剤を上方へ向けて噴出するとともに、前記スプレー本体に、前記ノズルを包囲するキャップが設けられたスプレー構造において、前記キャップに、側方へ開口し内部に連通する操作穴と、該操作穴を開閉自在に閉鎖する蓋部とを設けた。
【００１２】
すなわち、使用時には、キャップに設けられた蓋部を操作して操作穴を開放する。そして、側方に開口した操作穴に指を挿入し、スプレー本体より延出したノズルを操作する。これにより、前記スプレー本体内の薬剤を、上方へ向けて噴出させることができる。
【００１３】
また、非使用時には、前記キャップに設けられた蓋部を操作して前記操作穴を閉鎖する。これにより、該操作穴は、前記蓋部によって閉鎖されるので、不用意な前記ノズルの操作が防止される。
【００１４】
また、請求項２のスプレー構造においては、操作時の操作力を前記ノズルを操作する力として伝達する伝達部を設けた。
【００１５】
すなわち、キャップに設けられた操作穴とスプレー本体に設けられたノズルとの間には、操作時の操作力を前記ノズルを操作する力として伝達する伝達部が設けられている。このため、前記操作穴を開放した状態において、前記伝達部を押圧操作することによって、前記ノズルが操作される。
【００１６】
さらに、請求項３のスプレー構造では、前記蓋部の縁部を前記キャップに回動自在に支持する一方、前記蓋部が前記操作穴を閉鎖した閉鎖状態にて前記蓋部の自由端部を前記キャップに係合して当該閉鎖状態を維持する閉鎖状態維持構造と、前記閉鎖穴を開放した開放状態にて前記蓋部の閉鎖方向への回動を規制して当該開放状態を維持する開放状態維持構造とを設けた。
【００１７】
これにより、蓋部で操作穴を閉鎖した際には、この閉鎖状態が維持される。また、前記閉鎖穴を開放した開放状態では、前記蓋部の閉鎖方向への回動が規制され、当該開放状態が維持される。
【発明の効果】
【００１８】
以上説明したように本発明の請求項１のスプレー構造にあっては、使用時に蓋部を操作して操作穴を開放することで、ノズルの操作を可能とすることができる。これにより、スプレー本体内の薬剤を上方へ向けて噴出させることができる。一方、非使用時には、前記蓋部を操作して前記操作穴を閉鎖することで、前記ノズルの不用意な操作を防止することができる。
【００１９】
したがって、薬剤を噴出させる為の噴射ボタンがキャップの側面に設けらた従来のように、スプレー本体を把持する際に噴射ボタンを誤って操作してしまい、意図せずに薬剤を噴出させてしまうといった不具合を未然に防止することができる。
【００２０】
また、請求項２のスプレー構造では、操作穴を開放した状態において、伝達部を押圧操作することで、ノズルを操作して薬剤を噴出させることができる。これにより、操作性の向上を図ることができる。
【００２１】
さらに、請求項３のスプレー構造においては、蓋部で操作穴を閉鎖した際に、この閉鎖状態を維持することができる。このため、蓋部の閉鎖状態を維持することができ無い場合と比較して、誤操作防止効果を高めることができる。
【００２２】
一方、前記閉鎖穴を開放した開放状態では、前記蓋部の閉鎖方向への回動を規制して、当該開放状態を維持することができる。このため、蓋部が回動自在な場合と比較して、薬剤の噴出操作時の操作性を高めることができる。
【発明を実施するための最良の形態】
【００２３】
（第１の実施の形態）
【００２４】
以下、本発明の第１の実施の形態を図に従って説明する。図１は、本実施の形態にかかるスプレー構造を備えたスプレー１を示す図であり、このスプレー１としては、トイレなどで使用される芳香消臭剤が一例として挙げられる。
【００２５】
このスプレー１のスプレー本体１１は、円筒容器状に形成されており、その天面には、上方に膨出した膨出部１２が形成されている（図１の（ｂ）参照）。該膨出部１２の中央からは、ノズル１３が上方へ向けて延出しており、該ノズル１３は、側方へ向けて傾倒操作された際に前記スプレー本体１１内の液状薬剤を上方へ向けて噴霧するように構成されている。前記スプレー本体１１の上部には、前記ノズル１３を包囲するキャップ１４が固定されており、前記ノズル１３の不用意な傾倒が防止されるように構成されている。
【００２６】
このキャップ１４は、前記スプレー本体１１上縁の外折返部２１に外嵌する外周壁２２と、前記膨出部１２上縁の内折返部２３に外嵌する内円筒壁２４とを備えている。前記キャップ１４の天面２５には、噴霧穴２６が設けられており、該噴霧穴２６の開口縁からは、前記ノズル１３側に延出する円筒延出部２７が一体形成されている。
【００２７】
前記キャップ１４の前記外周壁２２には、矩形状の操作穴３１が開設されており、該操作穴３１の奥部に位置する内円筒壁２４にも開口部３２が設けられている。これにより、側方へ向けて開口した前記操作穴３１は、前記開口部３２を介して前記ノズル１３が設けられた中心部へ連通している。
【００２８】
このキャップ１４内には、伝達部としての噴射ボタン４１が設けられている。該噴射ボタン４１の先端には、円筒状の噴射ノズル部４２が形成されており、該噴射ノズル部４２は、前記ノズル１３に外嵌した状態で固定されている。この噴射ノズル部４２の先端部は、前記円筒延出部２７の内側に延出しており、前記ノズル１３から噴出された液状薬剤は、前記噴射ノズル部４２を介して前記噴霧穴２６から上方へ噴出されるように構成されている。
【００２９】
この噴射ノズル部４２基端からは、板状の伝達板５１が前記操作穴３１へ向けて延出しており、該伝達板５１は、前記内円筒壁２４の前記開口部３２を挿通して前記外周壁２２の前記操作穴３１の近傍に達している。この伝達板５１の端部には、板状の操作部５２が設けられており、該操作部５２は、前記操作穴３１の内側において、当該操作穴３１に沿って設けられている。
【００３０】
これにより、前記操作穴３１より挿入した指で前記操作部５２を奥側へ押圧操作した際には、その操作力を前記伝達板５１及び前記噴射ノズル部４２を介して、前記ノズル１３を傾倒させる傾倒力として伝達できるように構成されている。
【００３１】
このキャップ１４には、前記操作穴３１を開閉自在に閉鎖する蓋部６１が設けられている。該蓋部６１は、前記操作穴３１を覆う大きさのハート形の板状に形成されており、当該蓋部６１の左端部には、図２にも示すように、棒状の軸部６２が支持部６３を介して支持されている。該軸部６２は、図１に示したように、中央部を形成する大径部６４と、該大径部６４の両脇に設けられた小径の小径部６５，６５とからなり、該小径部６５は、円柱状に形成されている。この小径部６５は、前記キャップ１４の外周壁２２に突設された保持部６６，６６に保持されており、該保持部６６，６６は、図２に示したように、前記小径部６５，６５を回動自在に保持する断面Ｃ字状に形成されている。
【００３２】
これにより、前記蓋部６１は、その縁部が前記キャップ１４に回動自在に支持されており、図２の（ａ）に示したように、当該蓋部６１が前記操作穴３１を閉鎖した閉鎖状態７１と、図２の（ｂ）に示すように、前記操作穴３１を開放した開放状態７２とを形成できるように構成されている。
【００３３】
そして、前記蓋部６１の自由端部には、鉤状の蓋側フック８１が裏面に突設されており、当該蓋部６１が前記操作穴３１を閉鎖した閉鎖状態７１にておいて、前記蓋側フック８１が位置する前記キャップ１４の部位には、前記蓋側フック８１と係合するキャップ側フック８２が突設されている。これらのフック８１，８２によって、前記閉鎖状態７１において前記蓋部６１の自由端部を前記キャップ１４に係合して当該閉鎖状態７１を維持する閉鎖状態維持構造８３が構成されている。
【００３４】
また、前記軸部６２の前記大径部６４における外周面には、図３の（ａ）に示すように、直交する第１平面９１及び第２平面９２が形成されており、両平面９１，９２によって角部９３が形成されている。前記第１平面９１は、図３の（ｂ）に示すように、前記閉鎖状態７１において、前記キャップ１４の外周壁２２に面接するように構成されており、前記第２平面９２は、図３の（ｃ）に示すように、前記開放状態７２において、前記キャップ１４の外周壁２２に面接するように構成されている。
【００３５】
これにより、前記閉鎖状態７１及び前記開放状態７２では、前記各面９１，９２が前記キャップ１４の外周壁２２に面接した状態で、当該蓋部１４の不用意な回動を阻止できるように構成されており、前記閉鎖穴３１を開放した開放状態７２にて前記蓋部６１の閉鎖方向への回動を規制して当該開放状態７１を維持する本発明の開放状態維持構造９５が構成されている。
【００３６】
前記蓋部６１を前記閉鎖状態７１から前記開放状態７２へ、又は該開放状態か７２ら前記閉鎖状態７１へ回動する際には、前記角部９３が前記キャップ１４の外周壁２２に当接するとともに、この当接状態を乗り越えて前記蓋部６１を回動することで、前記開放状態７２又は前記閉鎖状態７１を形成できるように構成されており、蓋部６１開閉時には、クリック感が得られるように構成されている。
【００３７】
以上の構成にかかる本実施の形態において、スプレー１を使用する際には、図４の（ａ）から（ｃ）に示すように、キャップ１４に設けられた蓋部６１を指で操作して操作穴３１を開放する。そして、キャップ１４の外周壁２２に開口した操作穴３１に指Ｙを挿入し、スプレー本体１１より延出したノズル１３の傾倒操作を行う。これにより、前記スプレー本体１１内の液状薬剤を、図４の（ｃ）に示したように、噴霧穴２６から上方へ向けて噴出させることができる。
【００３８】
このとき、前記操作穴３１と前記ノズル１３との間には、操作力を前記ノズル１３を傾倒させる傾倒力として伝達する前記噴射ボタン４１が設けられており、該噴射ボタン４１の操作部５２は、前記操作穴３１の内側において当該操作穴３１に沿って設けられている。このため、前記操作穴３１を開放した開放状態７２において、前記噴射ボタン４１の前記操作部５２を押圧操作することによって、前記ノズル１３を傾倒操作して液状薬剤を噴出させることができる。これにより、操作性の向上を図ることができる。
【００３９】
一方、非使用時には、図４の（ｃ）から（ａ）に示すように、前記キャップ１４に設けられた蓋部６１を操作して前記操作穴３１を閉鎖する。これにより、該操作穴３１は、前記蓋部６１によって閉鎖されるので、不用意な前記ノズル１３の傾倒操作が防止される。
【００４０】
このように、蓋部６１を操作して操作穴３１を開閉することで、使用時には液状薬剤の噴霧操作を可能とする一方、非使用時には不用意な噴霧操作を防止することができる。したがって、液状薬剤を噴霧させる為の噴射ボタンがキャップの側面に設けらた従来のように、スプレー本体を把持する際に噴射ボタンを誤って操作してしまい、意図せずに液状薬剤を噴出させてしまうといった不具合を未然に防止することができる。
【００４１】
そして、前記蓋部６１で操作穴３１を閉鎖した際には、閉鎖状態維持構造８３を構成する前記蓋部６１に設けられた蓋側フック８１と、前記キャップ１４に設けられたキャップ側フック８２とが係合することで、当該閉鎖状態７１を維持することができる。このため、前記蓋部６１の閉鎖状態を維持することができ無い場合と比較して、誤操作防止効果を高めることができる。
【００４２】
一方、前記閉鎖穴３１を開放した開放状態７２では、開放状態維持構造９５によって前記蓋部６１の閉鎖方向への回動を規制し、当該開放状態７２を維持することができる。このため、蓋部が回動自在な場合と比較して、液状薬剤の噴出操作時の操作性を高めることができる。
【００４３】
なお、本実施の形態では、蓋部６１の側縁をキャップ１４に回動自在に支持して操作穴３１を開閉自在としたが、これに限定されるものでは無い。
【００４４】
（第２の実施の形態）
【００４５】
すなわち、図５〜図８は、第２の実施の形態にかかるスプレー構造を備えたスプレー１０１を示す図であり、このスプレー１０１としては、第１の実施の形態と同様にトイレなどで使用される芳香消臭剤が挙げられる。
【００４６】
このスプレー１０１のスプレー本体１１１は、円筒容器状に形成されており、その天面には、図７に示したように、上方に膨出した膨出部１１２が形成されている。該膨出部１１２の中央からは、ノズル１１３が上方へ向けて延出しており、該ノズル１１３は、側方へ向けて傾倒操作された際に前記スプレー本体１１１内の液状薬剤を上方へ向けて噴霧するように構成されている。前記スプレー本体１１１の上部には、前記ノズル１１３を包囲するキャップ１１４が固定されており、前記ノズル１１３の不用意な傾倒が防止されるように構成されている。
【００４７】
このキャップ１１４は、前記スプレー本体１１１上縁の外折返部１２１に外嵌する外周壁１２２と、前記膨出部１１２上縁の内折返部１２３に外嵌する内円筒壁１２４とを備えている。前記キャップ１１４の天面１２５には、噴霧穴１２６が設けられており、該噴霧穴１２６の開口縁からは、前記ノズル１１３側に延出する円筒延出部１２７が一体形成されている。
【００４８】
前記キャップ１１４の前記外周壁１２２には、図６に示したように、矩形状の操作穴１３１が開設されており、該操作穴１３１の奥部に位置する内円筒壁１２４の部位には、図７に示したように、切欠部１３２が設けられている。これにより、側方へ向けて開口した前記操作穴１３１は、前記切欠部１３２を介して前記ノズル１１３が設けられた中心部へ連通しており、前記切欠部１３２の奥側に位置する前記内円筒壁１２４の下部には、開口部１３３が設けられている。
【００４９】
このキャップ１１４内には、伝達部としての噴射ボタン１４１が設けられている。該噴射ボタン１４１中央部には、円筒状の噴射ノズル部１４２が形成されており、該噴射ノズル部１４２は、前記ノズル１１３に外嵌した状態で固定されている。この噴射ノズル部１４２の先端部は、前記円筒延出部１２７の内側に延出しており、前記ノズル１１３から噴出された液状薬剤は、前記噴射ノズル部１４２を介して前記噴霧穴１２６から上方へ噴出されるように構成されている。
【００５０】
この噴射ノズル部１４２基端部からは、前記内円筒壁１２４の前記開口部１３３へ向けて延出する板状の延出部１５１と、前記操作穴１３１へ向けて延出する板状の伝達板１５２とが一体形成されており、該伝達板１５２は、前記内円筒壁１２４の前記切欠部１３２を挿通して前記外周壁１２２の前記操作穴１３１の近傍に達している。この伝達板１５２の端部には、板状の操作部１５３が設けられており、該操作部１５３は、前記操作穴１３１の内側において、当該操作穴１３１に沿って設けられている。
【００５１】
これにより、前記操作穴１３１より挿入した指で前記操作部１５３を奥側へ押圧操作した際には、図７の（ｂ）に示すように、その操作力を前記伝達板１５２及び前記噴射ノズル部１４２を介して、前記ノズル１１３を傾倒させる傾倒力として伝達できるように構成されている。
【００５２】
このキャップ１１４には、図６に示すように、ハート形の枠体１９１が設けられている。該枠体１９１は、図８に示すように、中央部に長方形の開口部１９２が開設されており、該開口部１９２の開口縁からは、フランジ部１９３が裏面側へ向けて延出している。該フランジ部１９３は、前記キャップ１１４に設けられた操作穴１３１に内嵌されており、当該枠体１９１は、前記キャップ１１４に固定されている。
【００５３】
この枠体１９１には、図５及び図６に示したように、前記開口部１９２、つまり前記操作穴１３１を開閉自在に閉鎖する蓋部１６１が設けられている。該蓋部１６１は、図５に示したように、前記操作穴１３１（前記開口部１９２）を覆う大きさのハート形の板状に形成されており、当該蓋部１６１の上端部には、図７にも示したように、円柱状の軸部１６２が支持部１６３を介して支持されている。該軸部１６２の両端部は、図５の（ｂ）に示したように、側方へ突出しており、この突出部１６４，１６４の先端は、前記枠体１９１に突設された支持片１６５，１６５の円形穴１６６，１６６に回動自在に挿入されている。
【００５４】
これにより、前記蓋部１６１は、その上縁部が前記枠体１９１を介して前記キャップ１１４に回動自在に支持されており、図５に示したように、当該蓋部１６１が前記操作穴１３１を閉鎖した閉鎖状態１７１と、図６に示したように、前記蓋部１６１の自由端部を上方へ回動して前記操作穴１３１を開放した開放状態１７２とを形成できるように構成されている。
【００５５】
前記軸部１６３両端の前記突出部１６４，１６４の外周面には、図９の（ａ）に示すように、半球状の第１凸部１８１及び第２凸部１８２が突設されており、前記枠体１９１には、前記各凸部１８１，１８２と係合する係合溝１８３が先端に設けられた係合突片１８４が前記各支持片１６５，１６５の内側に突設されている。
【００５６】
前記両凸部１８１，１８２は、直交する位置に設けられており、前記第１凸部１８１は、図９の（ａ）に示すように、前記閉鎖状態１７１にて前記係合突片１８４先端の前記係合溝１８３に挿入されるように構成されている。これにより、前記閉鎖状態１７１では、前記第１凸部１８１が前記係合溝１８３に係合することによって、前記蓋部１６１の閉鎖方向への回動を規制して当該閉鎖状態１７１を維持する閉鎖状態維持構造が構成されている。
【００５７】
また、前記第２凸部１８２は、図９の（ｂ）に示すように、前記開放状態１７２にて前記係合突片１８４先端の前記係合溝１８３に挿入されるように構成されている。これにより、前記開放状態１７２では、前記第２凸部１８２が前記係合溝１８３に係合することによって、前記蓋部１６１の閉鎖方向への回動を規制して当該開放状態１７２を維持する開放状態維持構造が構成されている。
【００５８】
そして、前記蓋部１６１を前記閉鎖状態１７１から前記開放状態１７２へ、又は該開放状態か１７２ら前記閉鎖状態１７１へ回動する際には、前記各凸部１８１，１８２が前記係合溝１８３から離脱する際にクリック感が得られるように構成されている。
【００５９】
以上の構成にかかる本実施の形態において、スプレー１０１を使用する際には、図７の（ａ）から（ｂ）に示すように、キャップ１１４に設けられた蓋部１６１を指で操作して操作穴１３１を開放する。そして、キャップ１１４の外周壁１２２に開口した操作穴１３１に指を挿入し、スプレー本体１１１より延出したノズル１１３の傾倒操作を行う。これにより、前記スプレー本体１１１内の液状薬剤を、噴霧穴１２６から上方へ向けて噴出させることができる。
【００６０】
このとき、前記操作穴１３１と前記ノズル１１３との間には、操作力を前記ノズル１１３を傾倒させる傾倒力として伝達する前記噴射ボタン１４１が設けられており、該噴射ボタン１４１の操作部１５３は、前記操作穴１３１の内側において当該操作穴１３１に沿って設けられている。このため、前記操作穴１３１を開放した開放状態１７２において、前記噴射ボタン１４１の前記操作部１５３を押圧操作することによって、前記ノズル１１３を傾倒操作して液状薬剤を噴出させることができる。これにより、操作性の向上を図ることができる。
【００６１】
一方、非使用時には、図７の（ｂ）から（ａ）に示すように、前記キャップ１１４に設けられた蓋部１６１を操作して前記操作穴１３１を閉鎖する。これにより、該操作穴１３１は、前記蓋部１６１によって閉鎖されるので、不用意な前記ノズル１１３の傾倒操作が防止される。
【００６２】
このように、蓋部１６１を操作して操作穴１３１を開閉することで、使用時には液状薬剤の噴霧操作を可能とする一方、非使用時には不用意な噴霧操作を防止することができる。したがって、液状薬剤を噴霧させる為の噴射ボタンがキャップの側面に設けらた従来のように、スプレー本体を把持する際に噴射ボタンを誤って操作してしまい、意図せずに液状薬剤を噴出させてしまうといった不具合を未然に防止することができる。
【００６３】
そして、前記蓋部１６１で操作穴１３１を閉鎖した際には、図９の（ａ）に示したように、蓋部１６１の軸部１６３に設けられた第１凸部１８１を前記係合溝１８３に係合した状態で、前記蓋部１６１の閉鎖方向への回動を規制して当該閉鎖状態１７１を維持することができる。このため、前記蓋部１６１の閉鎖状態を維持することができ無い場合と比較して、誤操作防止効果を高めることができる。
【００６４】
一方、前記閉鎖穴１３１を開放した開放状態１７２では、図９の（ｂ）に示したように、蓋部１６１の軸部１６３に設けられた第２凸部１８２が前記係合溝１８３に係合した状態で、前記蓋部１６１の閉鎖方向への回動を規制して当該開放状態１７２を維持することができる。このため、蓋部１６１が回動自在な場合と比較して、液状薬剤の噴出操作時の操作性を高めることができる。
【００６５】
なお、第１及び第２の実施の形態において、前記蓋部６１，１６１を軸支する軸部６２，１６３に樹脂製又は金属製のバネを設け、前記蓋部６１，１６１を開放方向へ付勢しても良い。これにより、蓋部６１、１６１を半自動で開放することができる。
【００６６】
また、第１及び第２の実施の形態においては、伝達部としての噴射ボタン４１，１４１が操作穴３１，１３１の近傍まで達する長さに設定された場合を例に挙げて説明したが、これに限定されるものでは無く、前記噴射ボタン４１，１４１は、前記操作穴３１，１３１を挿通して該操作穴３１，１３１と蓋部６１，１６１間まで、すなわち操作穴３１，１３１の手前まで達するものであっても良い。
【００６７】
（第３の実施の形態）
【００６８】
また、図１０に示すように、蓋部６１をキャップ１４に対してスライド自在に支持して操作穴３１を開閉自在としても良い。
【００６９】
その具体的手法としては、図１１に示すように、キャップ１１４の外周壁１２２に一対のスライド溝２１１，２１１を設けるとともに、前記蓋部１６１の裏面にスライド部２１２，・・・を設け、これらスライド部２１２，・・・を前記各スライド溝２１１，２１１内にスライド自在に係止する構造が挙げられる。
【図面の簡単な説明】
【００７０】
【図１】本発明の第１の実施の形態を示す図で、（ａ）は要部の拡大図であり、（ｂ）は要部の断面図である。
【図２】同実施の形態を示す要部の断面図で、（ａ）は閉鎖状態を示す図であり、（ｂ）は開放状態を示す図である。
【図３】同実施の形態の軸部を示す図であり、（ａ）は要部の断面図、（ｂ）は閉鎖状態を示す要部の断面図、（ｃ）は開放状態を示す要部の断面図である。
【図４】同実施の形態の動作を示す図であり、（ａ）は閉鎖状態を示す図、（ｂ）は途中経過を示す図、（ｃ）は開放状態を示す図である。
【図５】本発明の第２の実施の形態を示す図で、（ａ）は側面図であり、（ｂ）は平面図である。
【図６】同実施の形態の蓋部を開放した状態を示す図で、（ａ）は側面図であり、（ｂ）は平面図である。
【図７】同実施の形態の要部断面を示す図で、（ａ）は非操作時を示すであり、（ｂ）は操作時を示す図である。
【図８】（ａ）同実施の形態の枠体の正面図であり、（ｂ）は枠体の要部断面図であり、（ｃ）は枠体の背面図である。
【図９】同実施の形態の軸部を示す図、（ａ）は閉鎖状態を示す要部の断面図であり、（ｂ）は開放状態を示す要部の断面図である。
【図１０】本発明の第３の実施の形態を示す図で、（ａ）は閉鎖状態を示す図であり、（ｂ）は開放状態を示す図である。
【図１１】同実施の形態の蓋部の係止構造を示す図である。
【符号の説明】
【００７１】
１    スプレー
１１    スプレー本体
１３    ノズル
１４    キャップ
３１    操作穴
４１    噴射ボタン
４２    噴射ノズル
６１    蓋部
７１    閉鎖状態
７２    開放状態
８３    閉鎖状態維持構造
９５    開放状態維持構造
１０１    スプレー
１１１    スプレー本体
１１３    ノズル
１１４    キャップ
１３１    操作穴
１４１    噴射ボタン
１４２    噴射ノズル
１６１    蓋部
１７１    閉鎖状態
１７２    開放状態
【図１】
2006159007.tif 000003
【図２】
2006159007.tif 000004
【図３】
2006159007.tif 000005
【図４】
2006159007.tif 000006
【図５】
2006159007.tif 000007
【図６】
2006159007.tif 000008
【図７】
2006159007.tif 000009
【図８】
2006159007.tif 000010
【図９】
2006159007.tif 000011
【図１０】
2006159007.tif 000012
【図１１】
2006159007.tif 000013